(57)【要約】【課題】電池を電源として動作させることができ、電池収納部を効率的に且つ電池交換等の作業が行い易い位置に配置し得るビルトインコンロ用の照明装置又はガス調理システムを実現する。【解決手段】照明装置１００は、サイドモール４０が側部側隙間部又は前記側部側隙間部の後方側の空間を埋めるように配置されるビルトインコンロ１に用いられる。照明装置１００は、サイドモール４０に取り付けられる電池収納部１６０と、電池収納部１６０に収納される電池１６８から供給される電力に基づいて光を照射する照明部１２０とを有する。【選択図】図１
2018105540.tif 000002
【特許請求の範囲】
【請求項１】
ガスバーナと、前記ガスバーナを収容するコンロ本体部と、前記コンロ本体部の前面側に配置される操作部とを有し、上面側開口部と前面側開口部とを備えたキャビネット内に配置され、前記コンロ本体部の前面部の左右方向端部が、前記キャビネットの前記前面側開口部における左右方向の縁部との間で側部側隙間部を構成するように配置されたビルトインコンロと、
を有するビルトインコンロに用いられる照明装置であって、
前記コンロ本体部の左右方向端部に着脱可能に取り付けられ、前記側部側隙間部又は前記側部側隙間部の後方側の空間を埋めるように配置される隙間部材と、
前記隙間部材に取り付けられる電池収納部と、
前記電池収納部に収納される電池から供給される電力に基づいて光を照射する照明部と、
を有するビルトインコンロ用の照明装置。
【請求項２】
前記照明部は、前記コンロ本体部における前記前面部の上端部と前記キャビネットにおける前記前面側開口部の上縁部とによって横方向に延びるように形成された上部側隙間部内、又は前記上部側隙間部の前後いずれかに隣接して配置される請求項１に記載のビルトインコンロ用の照明装置。
【請求項３】
前記上部側隙間部内又は前記上部側隙間部の後方側の空間を埋める状態で配置されるとともに前記前面部の前記上端部と前記前面側開口部の前記上縁部との間から視認されるフィラー部を有し、
前記照明部は、前記フィラー部に取り付けられている請求項２に記載のビルトインコンロ用の照明装置。
【請求項４】
前記照明部は、前記隙間部材に取り付けられるとともに前記コンロ本体部の左右方向中心側に向けて光を照射する請求項１から請求項３のいずれか一項に記載のビルトインコンロ用の照明装置。
【請求項５】
前記照明部をオン状態とオフ状態に切り替える切替部を備え、
前記照明部と、前記切替部と、前記電池収納部とが前記隙間部材に組み付けられてなる一体的な構造体が、前記コンロ本体部に対して着脱される構成をなす請求項４に記載のビルトインコンロ用の照明装置。
【請求項６】
前記ビルトインコンロには、前記コンロ本体部の前記前面部よりも後方側に収納された収納位置と、前記前面部よりも前方側に突出した突出位置とに変位する操作部が設けられ、
前記操作部が前記収納位置から前記突出位置に変位したことを検知する検知部と、
前記操作部が前記収納位置から前記突出位置に変位したことを前記検知部が検知した場合に前記照明部を照射状態に切り替え、所定の停止条件の成立に応じて前記照明部を照射停止状態に切り替える制御部と、
を有し、
前記検知部が、前記隙間部材に取り付けられている請求項１から請求項６のいずれか一項に記載のビルトインコンロ用の照明装置。
【請求項７】
請求項１から請求項６のいずれか一項に記載のビルトインコンロ用の照明装置と、前記ビルトインコンロとを含むガス調理システム。
【発明の詳細な説明】
【技術分野】
【０００１】
本発明は、ビルトインコンロ用の照明装置及びガス調理システムに関するものである。
【背景技術】
【０００２】
従来から提供されているガスコンロは、点火、火力調整、設定などを行うための操作部を備えており、ユーザは、この操作部に対して適切な操作を行うことで、機器に所望の動作を行わせる。しかし、ガスコンロは設置状態や使用状況によっては、操作部付近が暗くなってしまい、視認性の悪化、ひいては操作性の悪化を招く場合も想定される。このような問題に対する対策としては、特許文献１で開示されるシステムキッチンのように、手元付近を照らすような手元照明を設けることが考えられる。
【先行技術文献】
【特許文献】
【０００３】
【特許文献１】特開２００５−２３０４１９号公報
【発明の概要】
【発明が解決しようとする課題】
【０００４】
ところで、特許文献１で開示されるシステムキッチンは、ガスコンロの上方に大掛かりな手元照明を設けているため、商用電源からの電力により手元照明を動作させている。しかし、商用電源からの電力によって照明を動作させる構成では、装置構成が大型化しやすく、コンセントなども必要となる。
【０００５】
この点を考慮し、発明者は、商用電源からの電力供給を受けずに、電池を電源とする構成をなす照明装置を想到した。しかし、この場合、電池収納部や電池をどの位置に配置すべきかが問題となる。特に近年の高機能化、多機能化の進展により、ガスコンロ及びその周辺では、部品を設置するスペースを確保しにくくなっている事情があり、電池や電池収納部を設置するための適切なスペースを自由に確保することは難しくなっている。一方、ガスコンロやキャビネットの外側に電池収納部を設けることも検討したが、この場合、美観を損ねることが懸念される。
【０００６】
本発明は、上述した課題を解決するためになされたものであり、電池を電源として動作させることができ、電池収納部を効率的に且つ美観の低下を抑えて配置することができるビルトインコンロ用の照明装置又はガス調理システムを実現することを目的とするものである。
【課題を解決するための手段】
【０００７】
本発明の第１態様のビルトインコンロ用の照明装置は、
ガスバーナと、前記ガスバーナを収容するコンロ本体部と、前記コンロ本体部の前面側に配置される操作部とを有し、上面側開口部と前面側開口部とを備えたキャビネット内に配置され、前記コンロ本体部の前面部の左右方向端部が、前記キャビネットの前記前面側開口部における左右方向の縁部との間で側部側隙間部を構成するように配置されたビルトインコンロと、
を有するビルトインコンロに用いられる照明装置であって、
前記コンロ本体部の左右方向端部に着脱可能に取り付けられ、前記側部側隙間部又は前記側部側隙間部の後方側の空間を埋めるように配置される隙間部材と、
前記隙間部材に取り付けられる電池収納部と、
前記電池収納部に収納される電池から供給される電力に基づいて光を照射する照明部と、
を有する。
【０００８】
本発明の第２態様のガス調理システムは、上記ビルトインコンロ用の照明装置と、ビルトインコンロとを含む。
【発明の効果】
【０００９】
第１態様のビルトインコンロ用の照明装置は、側部側隙間部又は側部側隙間部の後方側の空間を埋めるように配置される隙間部材を利用して効率的に電池収納部及び電池を配置することができ、適切なスペースに電池収納部を設置した上で、電池を電源として動作させうる照明装置を実現できる。しかも、美観向上に寄与し得る隙間部材を利用してその内部に電池収納部や電池を配置することができるため、これらの設置に伴う美観の低下が生じにくくなる。更には、着脱可能な隙間部材において電池収納部及び電池が一体化した構成となるため、隙間部材の着脱によって電池交換作業等のメンテナンスなども非常に行い易くなる。
【００１０】
第２態様のガス調理システムは、第１の発明のガスコンロと同様の効果が得られる。
【図面の簡単な説明】
【００１１】
【図１】図１は、実施例１のガス調理システムがキャビネットに組み込まれたキッチンカウンターを概略的に示す正面図である。
【図２】図２は、図１のＡ−Ａ断面を概略的に示す断面構成において、隙間部材を取り外した状態を示す断面概略図である。
【図３】図３は、実施例１のガス調理システムの電気的構成を例示するブロック図である。
【図４】図４は、実施例１のガス調理システムを概略的に示す斜視図である。
【図５】図５は、図４のガス調理システムから照明装置を除いた構成（ガスコンロ）において、フィラー部、配線、電池ボックス等を取り外した状態を概略的に示す斜視図である。
【図６】図６（Ａ）は、照明装置の一部の平面構成を部分的且つ概略的に示す平面図である。図６（Ｂ）は、照明装置の一部の正面構成を部分的且つ概略的に示す正面図である。
【図７】図２の一部を拡大して概略的に示す断面拡大図である。
【図８】図８は、実施例２のガス調理システムがキャビネットに組み込まれたキッチンカウンターを概略的に示す正面図である。
【図９】図９は、実施例２のガス調理システムを概略的に示す斜視図である。
【図１０】図１０は、実施例３のガス調理システムがキャビネットに組み込まれたキッチンカウンターを概略的に示す正面図である。
【図１１】図１１は、実施例３のガス調理システムを概略的に示す斜視図である。
【図１２】図１２は、実施例３のガス調理システムの電気的構成を例示するブロック図である。
【発明を実施するための形態】
【００１２】
ここで、本発明の望ましい一例を示す。
照明部は、コンロ本体部における前面部の上端部とキャビネットにおける前面側開口部の上縁部とによって横方向に延びるように形成された上部側隙間部内、又は上部側隙間部の前後いずれかに隣接して配置される構成であってもよい。このようにすれば、美観を損ないにくく他部品の配置に比較的影響が少ない位置に照明部を効率的に配置することができる。
【００１３】
上記照明装置は、上部側隙間部内又は上部側隙間部の後方側の空間を埋める状態で配置されるとともに前面部の上端部と前面側開口部の上縁部との間から視認されるフィラー部を有していてもよい。照明部は、フィラー部に取り付けられていてもよい。このようすれば、上部側隙間部内又は上部側隙間部の後方側の空間を埋めるように配置されるフィラー部の存在によって美観を高めることができ、このフィラー部を利用して効率的に照明部を配置することができる。
【００１４】
照明部は、隙間部材に取り付けられるとともにコンロ本体部の左右方向中心側に向けて光を照射する構成であってもよい。このようにすれば、隙間部材を利用して照明部を効率的に配置した上で、コンロ本体部の中心側を効果的に明るくすることができる。しかも、着脱可能な隙間部材において照明部、電池収納部、及び電池が一体化した構成となるため、照明装置全体が極めてコンパクトになり、隙間部材の着脱によってメンテナンスなども非常に行い易くなる。
【００１５】
上記照明装置は、照明部をオン状態とオフ状態に切り替える切替部を備えていてもよい。そして、照明部と、切替部と、電池収納部とが隙間部材に組み付けられてなる一体的な構造体が、コンロ本体部に対して着脱される構成をなしていてもよい。このようにすれば、照明部に電力供給を行う構成及び照明部を切り替えるための構成を照明部と共に隙間部材に対して一体的に組み付けることができ、これらを一体的な構造体として取り扱うことができる。よって、部品管理やメンテナンスなどが非常に行いやすくなる。
【００１６】
ビルトインコンロには、コンロ本体部の前面部よりも後方側に収納された収納位置と、前面部よりも前方側に突出した突出位置とに変位する操作部が設けられていてもよい。照明装置は、操作部が収納位置から突出位置に変位したことを検知する検知部と、操作部が収納位置から突出位置に変位したことを検知部が検知した場合に照明部を照射状態に切り替え、所定の停止条件の成立に応じて照明部を照射停止状態に切り替える制御部と、を有していてもよい。検知部が、隙間部材に取り付けられていてもよい。このようにすれば、ユーザはより簡単な初期動作（操作部を突出位置に変位させる操作）を行うだけで照明部を照射状態に切り替えることができる。従って、操作部付近に配置される部品（操作部を構成する細かな部分など）をより簡単に明るい状態にすることができ、暗い状態で操作せざるを得ない状況に起因するスイッチの押し間違えや、スイッチの確認に手間取ることに起因する迅速性の低下や操作負担の増大を抑制することができる。しかも、着脱可能な隙間部材において電池収納部だけでなく検知部も一体化した構成となるため、隙間部材付近に機能的な部品をコンパクトに配置することができ、隙間部材の着脱によって検知部等のメンテナンスなども非常に行い易くなる。
【００１７】
＜実施例１＞
以下、実施例１について、図面を参照して説明する。
図１で示すガス調理システム１９０は、ビルトインコンロ１とガスコンロ用の照明装置１００（以下、照明装置１００ともいう）とを備えたシステムとして構成されている。
【００１８】
図１、図２のように、ビルトインコンロ１は、ガスバーナ４，５，６、ガスバーナ４，５，６を収容するコンロ本体部１Ａなどを有しており、キャビネット９０に組み込まれるガスコンロとして構成されている。ガス調理システム１９０は、図３のような電気的構成となっており、図４のような外観をなす。
【００１９】
キャビネット９０は、上面部９２及び前面部９４に上面側開口部９２Ａ、前面側開口部９４Ａをそれぞれ備えた箱型の家具であり、ビルトインコンロ１を収容しつつ保持する構成をなす。図１の例では、ビルトインコンロ１における上部側の一部が上面側開口部９２Ａに入り込んだ形となっており、天板３やガスバーナ４，５，６などが上面部９２の上方側においてキャビネット９０の外側に露出して配置されている。また、ビルトインコンロ１における前面部側の一部が前面側開口部９４Ａに入り込んだ形となっており、前面パネル２０、点火ボタン１１〜１４、グリル扉８Ｂなどがキャビネット９０の外部前側に露出して配置されている。
【００２０】
以下の説明では、ビルトインコンロ１において、板状に構成された天板３の板面方向のうち、短手方向を前後方向とし、前後方向と直交する方向である天板３の長手方向を左右方向とする。更に、前後方向及び左右方向と直交する方向である天板３の板厚方向を上下方向として説明する。図１では、左右方向がビルトインコンロ１の左右方向であり、上下方向がビルトインコンロ１の上下方向である。また、図２では、左右方向がビルトインコンロ１の前後方向であり、上下方向がビルトインコンロ１の上下方向である。具体的には、図４において、左斜め下方、右斜め上方、右斜め下方、左斜め上方を、それぞれ、ビルトインコンロ１の前方、後方、右方、左方とする。
【００２１】
まず、ビルトインコンロ１について説明する。
ビルトインコンロ１は、図２で示すようにシステムキッチンのカウンタトップに設けられた開口（即ち、キャビネット９０の上面部９２に形成された上面側開口部９２Ａ）に落とし込まれて設置されるビルトインコンロであり、図５のような外観をなしている。なお、図５では、一方のサイドモール４０を取り外した状態を示し、サイドモール４０を固定する部分（係合部等）については省略して示している。
【００２２】
図５のように、ビルトインコンロ１はコンロ本体部１Ａによって外殻（ケース体）が構成されており、このコンロ本体部１Ａの内部にガスバーナなどの各種部品が収容された構成をなす。コンロ本体部１Ａは、箱状の筐体部２と、筐体部２の上端部に固定される天板３と、筐体部２の前端部に固定される前面パネル２０とを備える。
【００２３】
筐体部２は、公知の金属材料を主体として上方側が開放した箱状に構成されている。左右に一対の側壁部（図２、図５では、一方の側壁部２Ｃのみを図示）を備えるとともに、これら側壁部の後端部に連結される形で後壁部２Ｂ（図２）が設けられる。また、筐体部２の前面部（図示略）はフレーム状又は壁状に構成されており、これら前面部、側壁部、後壁部によって筐体部２の内部空間の前後左右を囲む構成をなし、これら前面部、側壁部、後壁部の下部には底壁部２Ｅが連結されている。筐体部２は、これらの壁部によって上部が開口した箱状形態をなしており、筐体部２の上端部には、天板３（トッププレート）が取り付けられている。
【００２４】
図１、図２のように、天板３は、板状に構成されると共にガスバーナを露出させるための開口部（貫通孔）が複数個形成された構成をなす。天板３は、キャビネット９０の上面部９２に上側に配置される。前面パネル２０は、コンロ本体部１Ａの前面部を構成する板状の壁部であり、例えば、金属材料又は樹脂材料を主体として構成されている。本構成では、前面パネル２０は、筐体部２とは別部材として構成され、筐体部２の前端部を覆うように筐体部２に対して固定されているが、前面パネル２０と筐体部２とが一体的に構成されていてもよい。
【００２５】
図１、図２、図４のように、ビルトインコンロ１において、筐体部２の左右両側の側壁部２Ｃ，２Ｄのそれぞれに対し、サイドモール４０，４２が着脱可能に取り付けられている。サイドモール４０，４２は、隙間部材の一例に相当する。筐体部２の左右両側の側壁部２Ｃ，２Ｄにサイドモール４０，４２を取り付ける取付構造は、例えば、特開２０１４−１４５５４５で開示される技術と同様の構造としてもよく、筐体部２の側部に対して着脱可能な構造であれば別の構造でもよい。
【００２６】
図１、図４等で示すビルトインコンロ１では、コンロ本体部１Ａの前面部（具体的には前面パネル２０の前面部）の左右方向端部２０Ｂ，２０Ｃが、キャビネット９０の前面側開口部９４Ａにおける左右方向の縁部９５Ｂ，９５Ｃとの間で側部側隙間部９８Ｂ，９８Ｃをそれぞれ構成するように配置されている。サイドモール４０，４２は、側部側隙間部９８Ｂ，９８Ｃのそれぞれを埋めるように配置されている。例えば、サイドモール４０が存在しない場合、側部側隙間部９８Ｂは、左右方向端部２０Ｂと縁部９５Ｂとの間に物体が存在しない空間が構成されることになる。サイドモール４０は、このような空間を埋め、美観を高めるように機能する。
【００２７】
図５のように、天板３において右手前（右端寄りかつ前端寄りの位置）にはガスバーナ（右バーナ）４、左手前（左端寄りかつ前端寄りの位置）にはガスバーナ（左バーナ）５、中央奥側にはガスバーナ（奥バーナ）６が夫々設けられている。各ガスバーナ４〜６のそれぞれには、点火する為のイグナイタ２７（図３参照）が設けられている。
【００２８】
筐体部２の中央付近には、グリル部８が設けられている。グリル部８は、箱状に構成されたグリル庫８Ａ、グリル庫８Ａを開閉するグリル扉８Ｂ、ガスバーナとして構成されるとともにグリル庫８Ａ内に配置されるグリルバーナ（図示略）、グリル扉８Ｂの後方側においてグリル扉８Ｂと一体的に設けられる受け皿、受け皿の上に載置される焼き網などを備える。受け皿はグリル庫８Ａの底面部に載置されており、グリル扉８Ｂを前方側に引き出すように操作することで、グリル扉８Ｂとともに受け皿及び焼き網が一体的に引き出されるようになっている。なお、グリル庫８Ａにレールユニットを設けて、グリル扉８Ｂや受け皿などをレールユニットによって前後方向に案内する構成となっていてもよい。なお、天板３において後端寄りの位置には、グリル庫８Ａと連通するグリル排気口９が設けられている。
【００２９】
図５のように、筐体部２の前面の右寄りには２つの点火ボタン１１、１４が、左寄りにはもう２つの点火ボタン１２、１３が設けられている。点火ボタン１１は、ガスバーナ４の点火及び消火を操作するために対応付けられた操作ボタンであり、点火ボタン１２は、ガスバーナ５の点火及び消火を操作するために対応付けられた操作ボタンであり、点火ボタン１３は、ガスバーナ６の点火及び消火を操作するために対応付けられた点火ボタンである。点火ボタン１４は、グリル部８のガスバーナ（グリルバーナ）の点火及び消火を操作するための操作ボタンである。各点火ボタン１１〜１４は、前面パネル２０の前面よりも前方へ突出して設けられ、筐体部２の内部に設けられた制御回路７０（図３）と接続されており、使用者が押し込み操作すると、制御回路７０による制御により、その操作されたボタンに対応するガスバーナの点火又は消火が行われるようになっている。
【００３０】
レバー１６Ａ，１６Ｂ，１６Ｃ，１６Ｄはそれぞれ、対応するガスバーナ４〜６又はグリル部８のグリルバーナにおける火力を調整するための火力調整レバーである。点火ボタン１２，１３の下側には、ビルトインコンロ１に電力を供給するための電池を収容する電池ボックス１８が設けられている。点火ボタン１１，１４の下側には、図４の実線で示す起立位置と、図４の二点鎖線で示す前側傾倒位置との間で変位するように開閉可能とされた開閉パネル１９が回動可能に配置され、この開閉パネル１９と一体的に、各種設定操作を行うための操作部３０が設けられている。
【００３１】
図３を参照し、ビルトインコンロ１の電気的構成について説明する。
ビルトインコンロ１はコントローラとしての制御回路７０を備える。制御回路７０は、ＣＰＵ７１、ＲＯＭ７２、ＲＡＭ７３、不揮発性メモリ７４、タイマ７５等を備える。ＣＰＵ７１はビルトインコンロ１の各種動作を統括制御する。ＲＯＭ７２はビルトインコンロ１の各種制御プログラムなどを記憶する。ＲＡＭ７３は、ビルトインコンロ１の各種情報などを記憶する。
【００３２】
制御回路７０には、電源回路８１、スイッチ入力回路８２、操作部回路８３、点火ボタン操作回路８４、イグナイタ回路８５、電磁弁回路８６、駆動回路９１等が各々接続されている。
【００３３】
電源回路８１は、公知の電源回路として構成されており、電池ボックス１８内に収容される２つの乾電池１５からの電力供給に基づいて各種回路に印加する電源電圧を生成する機能を有する。また、電源回路８１に付随する回路として、電池１５の出力電圧を検出する検出回路も設けられ、この回路は電池１５の出力電圧を監視する機能を有する。スイッチ入力回路８２は電源スイッチ１０の押下を検出する。
【００３４】
操作部回路８３は、操作部３０に対する外部からの各種操作を検出し、制御回路７０に入力する。点火ボタン操作回路８４は点火ボタン１１〜１４の押下を検出し、押下された点火ボタンを特定し得る信号を制御回路７０に入力する。イグナイタ回路８５は、制御回路７０からの指令を受け、各種バーナ４〜６及びグリルバーナのそれぞれに設けられたイグナイタ２７を駆動する。電磁弁回路８６は、制御回路７０からの指令を受け、各種バーナ４〜６及びグリルバーナのそれぞれのガス供給管（図示略）に設けられた安全弁及び火力調整弁等の各種電磁弁２８を制御する。なお、図３では、各ガスバーナ４〜６及び図示しないグリルバーナに設けられたイグナイタを符号２７で簡略的に示しているが、実際は、複数のイグナイタ２７が各ガスバーナに対応付けて個別に設けられ、イグナイタ回路８５が点火操作に応じたイグナイタを個別に制御し得るようになっている。また、図３では、各ガスバーナへガスを供給するための各ガス供給路に設けられた電磁弁を符号２８で簡略的に示しているが、実際は、複数の電磁弁２８が各ガス供給路に対応付けて個別に設けられ、電磁弁回路８６が各電磁弁を個別に制御し得るようになっている。
【００３５】
ビルトインコンロ１には、図３で示す回路以外にも、音声合成回路やスピーカなどからなる音声装置、発光制御回路や発光部などからなる発光装置、ブザー回路などを設けることができ、図３ではこれらの回路の図示を省略している。
【００３６】
次に照明装置１００について説明する。
図４のように、照明装置１００は、ビルトインコンロ１とともにガス調理システム１９０を構成する。照明装置１００は、ビルトインコンロ１に対して着脱可能とされており、ビルトインコンロ１の前面部の少なくとも一部に照明光を照射し得る装置として構成されている。
【００３７】
図５のように、照明装置１００の取付対象となるビルトインコンロ１は、天板３の前端部３Ａ（前側の縁部）が左右方向に延びる形で直線状に構成され、前面パネル２０の上端部２０Ａが左右方向に延びる形で直線状に構成されている。そして、この前端部３Ａと上端部２０Ａとによって左右方向に延びる溝部２５が構成されている。前面パネル２０は、前後方向を板厚方向とする板状の前壁部２１と、この前壁部２１と一体的に構成されるとともに前壁部２１の上端から略直角に折れ曲がる形で平面状且つ板状に構成された後方延出部２２とを備え、前壁部２１の上端と後方延出部２２とが上端部２０Ａを構成する。後方延出部２２は磁性体によって構成され、図４のように、照明装置１００は後方延出部２２の上面上に載置される形で設置される。
【００３８】
図４のように、照明装置１００は、照明部１２０と、この照明部１２０を保持する保持部材としてのフィラー部１１０と、フィラー部１１０を装着するための複数の磁石１５０とを有しており、照明部１２０及び磁石１５０がフィラー部１１０に一体的に組み付けられた構成となっている。
【００３９】
フィラー部１１０は、公知の樹脂材料などによって長手状且つ板状に構成されており、図２のようにキャビネット９０の上面部９２よりも下方側であって且つコンロ本体部１Ａの前面側の壁部を構成する前面パネル２０の上方側に配置されている。具体的には、図１、図７のように、前面パネル２０の上端部２０Ａが、キャビネット９０の前面側開口部９４Ａの上縁部９５Ａとの間で横方向に延びる上部側隙間部９８Ａを構成する。フィラー部１１０は、上部側隙間部９８Ａ内の空間を埋める状態で配置され、正面視したときに前面パネル２０の上端部２０Ａと前面側開口部９４Ａの上縁部９５Ａとの間から視認されるものとなっている。なお、図１、図２では、上端部２０Ａと上縁部９５Ａとによって構成される部分を上部側隙間部９８Ａとして示し、上部側隙間部９８Ａの領域を符号Ｄで示す。
【００４０】
図１、図２で示す例では、キャビネット９０の上面部９２において上面側開口部９２Ａの前側に位置するように前側配置部９６が設けられている。前側配置部９６は、キャビネット９０において上面部９２に設けられた上面側開口部９２Ａよりも前側の部分且つ前面部９４に設けられた前面側開口部９４Ａよりも上側の部分である。図１、図２の例では、前面パネル２０の上端部２０Ａと上述した前側配置部９６とが上下に間隔をあけて配置され、これらによって上部側隙間部９８Ａ（前側配置部９６の下面部と前面パネル２０の上端部とによって構成される部分）が設けられている。即ち、フィラー部１１０が存在しない場合には、前面パネル２０と前側配置部９６との間に隙間が生じるようになっている。フィラー部１１０（保持部材）は、この前側配置部９６と前面パネル２０との間の隙間を埋めるためのスペーサとして機能する。
【００４１】
図１、図４、図６のように、フィラー部１１０は、左右方向において、グリル部８よりも照明部１２０側の位置且つ両照明部１２０よりもグリル部８側の位置に、筐体部２や前面パネル２０を構成する主体材料（鉄やアルミニウムなどの金属材料）よりも相対的に熱伝導率が小さい伝熱抑制部材１８０を設けてもよい。また、図６のように、フィラー部１１０において、空気を通すための通気孔１１８が形成されていてもよい。また、二点鎖線で示すような放熱部材１８５をフィラー部１１０に密着させて設けてもよい。放熱部材１８５は、フィラー部１１０よりも熱伝導率が大きい材料によって構成すればよい。
【００４２】
磁石１５０は、例えば永久磁石として構成され、フィラー部１１０（保持部材）の下面部に対して接着剤や接着シートなどの接着媒体、或いはねじ等の連結部材によって固定されている。図６の例では、例えば、長手状且つ板状に構成されたフィラー部１１０の厚さ方向一方面（下面）に対して板状に構成された複数の磁石１５０が固定されており、フィラー部１１０と磁石１５０とが一体化している。そして、図１、図２、図４のように、コンロ本体部１Ａの一部をなす平面状の部分（具体的には、図５で示す前面パネル２０の後方延出部２２）に対して磁石１５０の下面が接触し、後方延出部２２とフィラー部１１０（保持部材）とが磁石１５０によって吸着する形で取り付けられる。本構成では、後方延出部２２が前面パネル２０の上端部２０Ａの一部として構成されている。つまり、フィラー部１１０は、前面パネル２０の上端部２０Ａに磁石１５０を介して吸着される構成となっている。
【００４３】
照明部１２０は、フィラー部１１０（保持部材）に保持され、少なくともフィラー部１１０の下方側（具体的には前面パネル２０側）に照明光を照射する構成をなしている。照明部１２０は、ＬＥＤなどの公知の発光手段によって構成されており、例えば、フィラー部１１０の下面に固定される形でフィラー部１１０と一体化されている。図６の例では、複数の照明部１２０が、左右方向において互いに離間した位置関係で間隔をあけて配置され、それぞれがフィラー部１１０の下面における前端寄りの位置に固定されている。これら照明部１２０は、フィラー部１１０に対して直接取り付けられていてもよく、他部材を介して間接的に取り付けられてもよい。
【００４４】
このように構成された照明装置１００は、図２、図４のように、フィラー部１１０（保持部材）が前面パネル２０の上端部２０Ａに支持される形で載置されるとともに、フィラー部１１０（保持部材）の下面部に設けられた磁石１５０と上端部２０Ａとが吸着する構成をなし、且つフィラー部１１０（保持部材）の下面部の一部が前面パネル２０の前面よりも前側に位置するように設置される。そして、図２、図７のように、フィラー部１１０（保持部材）の下面部において前面パネル２０の前面よりも前側に配置される部分に、照明部１２０が設けられる。照明部１２０は、このような位置から下方側に向けてある程度の広がりをもって照明光を照射するため、この照明光によって前面パネル２０付近が照らされることになる。
【００４５】
図３、図６で示すように、照明装置１００は、外部からのオン操作及びオフ操作を受ける切替操作部１７０と、切替操作部１７０に対するオン操作に応じて照明部１２０をオン状態に切り替え、切替操作部１７０に対するオフ操作に応じて照明部１２０を切り替える制御部１４０とを有している。そして、これら切替操作部１７０及び制御部１４０が、フィラー部１１０に取り付けられている。切替操作部１７０は、ユーザによる所定動作を検知する検知部として機能するものであり、例えば、人の操作によってスイッチの状態を切り替えることが可能であり、オン操作されたときにオン状態が保持され、オフ操作されたときにオフ状態が保持されるスイッチなどを用いることができる。具体的には、ＤＩＰスイッチ、タクタイルスイッチ、ロッカースイッチ、トグルスイッチ、サムロータリスイッチなど、公知の様々なスイッチを使用することができる。
【００４６】
図１、図２等で示すビルトインコンロ１では、コンロ本体部１Ａの前面部（前面パネル２０の前面部）の左右方向一端部２０Ｂと、キャビネット９０の前面側開口部９４Ａにおける左右方向の縁部９５Ｂとの間で側部側隙間部９８Ｂが構成される。サイドモール４０は、この側部側隙間部９８Ｂを埋めるように配置されている。そして、図１、図２のように、照明装置１００の一部をなす電池収納部１６０は、サイドモール４０の内部に収容される形態でサイドモール４０に取り付けられている。なお、電池収納部１６０は、図６のように全部がサイドモール４０内に埋め込まれていてもよく、一部がサイドモール４０の外側（例えば後方側）に配置されていてもよい。電池収納部１６０に収納された電池１６８は、ビルトインコンロ１の電源となる電池１５とは異なる電池であり、照明部１２０は、電池収納部１６０に収納された電池１６８から供給される電力に基づいて光を照射する構成となっている。
【００４７】
電池収納部１６０とフィラー部１１０に配置された制御部１４０との間には、複数の電線が設けられ、サイドモール４０とフィラー部１１０との間で電力や信号の伝送を可能としている。図２、図４では、サイドモール４０とフィラー部１１０の間を電気的に接続する複数の電線を二点鎖線の太線で概念的に示している。なお、上記切替操作部１７０及び制御部１４０は、サイドモールに取り付けられていてもよい
【００４８】
次に、本構成の効果を例示する。
上述したビルトインコンロ用の照明装置１００は、サイドモール４０を利用して効率的に電池収納１６０部及び電池１６８を配置することができ、適切なスペースに電池収納部１６０を設置した上で、電池１６８を電源として動作させうる照明装置１００を実現できる。しかも、美観向上に寄与し得るサイドモール４０を利用してその内部に電池収納部１６０や電池１６８を配置することができるため、これらの設置に伴う美観の低下が生じにくくなる。更には、着脱可能なサイドモール４０において電池収納部１６０及び電池１６８が一体化した構成となるため、サイドモール４０の着脱によって電池交換作業等のメンテナンスなども非常に行い易くなる。
【００４９】
照明部１２０は、コンロ本体部１Ａにおける前面部（具体的には前面パネル２０の上端部）とキャビネット９０における前面側開口部９４Ａの上縁部とによって横方向に延びるように形成された上部側隙間部９８Ａの前側に隣接して配置される。このようにすれば、美観を損ないにくく他部品の配置に比較的影響が少ない位置に照明部１２０を効率的に配置することができる。
【００５０】
照明装置１００は、上部側隙間部９８Ａを埋める状態で配置されるとともに前面パネル２０（コンロ本体部１Ａの前面部）の上端部と前面側開口部９４Ａの上縁部との間から視認されるフィラー部１１０を有する。照明部１２０は、フィラー部１１０に取り付けられている。このようすれば、上部側隙間部９８Ａ内を埋めるように配置されるフィラー部１１０の存在によって美観を高めることができ、このフィラー部１１０を利用して効率的に照明部１２０を配置することができる。
【００５１】
＜実施例２＞
次に、図８、図９等を参照し、実施例２に係るビルトインコンロ用の照明装置２００（以下、照明装置２００ともいう）及びガス調理システム２９０について説明する。実施例２で示すガス調理システム２９０において、ビルトインコンロ２０１は、サイドモール４０の前面部の形状が実施例１のビルトインコンロ１と異なるだけであり、それ以外は、実施例１のビルトインコンロ１と同様である。具体的には、サイドモール４０の前面部に前方側に突出する配置部４８を設けた点のみが実施例１のビルトインコンロ１と異なり、この点以外は実施例１のビルトインコンロ１と同様である。よって、図８、図９で示す実施例２のビルトインコンロ２０１において実施例１のビルトインコンロ１と同様の部分については、同一の符号を付し、詳細な説明は省略する。また、実施例２のビルトインコンロ２０１が設置されるキャビネット９０は、実施例１で説明したキャビネット９０と同一である。よって、図８、図９では、キャビネット９０については実施例１と同一の符号を付す。一方、実施例２のガス調理システム２９０の一部をなすビルトインコンロ用の照明装置２００は、実施例１の照明装置１００と異なる構成をなす。
【００５２】
第２実施形態のガス調理システム２９０でも、ビルトインコンロ２０１は、キャビネット９０の前面側開口部９４Ａにおける左右方向の縁部９５Ｂとの間で側部側隙間部９８Ｂを構成するように配置されている。そして、サイドモール４０が側部側隙間部９８Ｂを埋めるように配置されている。
【００５３】
第２実施形態のガス調理システム２９０の一部をなす照明装置２００は、サイドモール４０に取り付けられる電池収納部１６０と、電池収納部１６０に収納される電池１６８から供給される電力に基づいて光を照射する照明部１２０とを有する。また、実施例１で用いた切替操作部１７０と同様の切替操作部１７０がサイドモール４０の前面部に固定されている。なお、照明装置２００の回路構成は図３で示す照明装置１００と同様であるため、ここでは図３を参照して回路構成を説明する。
【００５４】
照明装置２００でも、外部からのオン操作及びオフ操作を受ける切替操作部１７０と、切替操作部１７０に対するオン操作に応じて照明部１２０をオン状態に切り替え、切替操作部１７０に対するオフ操作に応じて照明部１２０を切り替える制御部１４０とを有している。制御部１４０は、照明部１２０をオン状態とオフ状態に切り替える切替部の一例に相当する。照明部１２０と、切替操作部１７０と、制御部１４０（切替部）と、電池収納部１６０とがサイドモール４０に組み付けられ、これらが組み付けられてなる一体的な構造体２０２が、コンロ本体部１Ａに対して着脱される構成をなしている。
【００５５】
このようにすれば、照明部１２０に電力供給を行う構成及び照明部１２０を切り替えるための構成を照明部１２０と共にサイドモール４０に対して一体的に組み付けることができ、これらを一体的な構造体２０２として取り扱うことができる。よって、部品管理やメンテナンスなどが非常に行いやすくなる。
【００５６】
また、サイドモール４０に取付られた照明部１２０は、コンロ本体部１Ａの左右方向中心側に向けて光を照射する構成となっている。具体的には、サイドモール４０の前面部において、前面パネル２０の前面よりも前方側に突出するように配置部４８（前方突出部）が形成されており、この前面部において前面パネル２０の前面よりも前方側の位置に照明部１２０が取り付けられている。そして、この照明部１２０が、前面パネル２０の少なくとも一部を照らすように配置されている。図８、図９で示す例では、操作部３０よりも左右方向外側且つ上方側の位置に照明部１２０が取り付けられており、照明部１２０は、少なくとも操作部３０に照明光を照射するように下方側且つ左右方向中心側に向けて光を照射する構成となっている。なお、図８では、照明部１２０から照射される光を矢印にて概念的に示している。
【００５７】
このようにすれば、サイドモール４０を利用して照明部１２０を効率的に配置した上で、コンロ本体部１Ａの中心側を効果的に明るくすることができる。しかも、着脱可能なサイドモール４０において照明部１２０、電池収納部１６０、及び電池１６８が一体化した構成となるため、照明装置全体が極めてコンパクトになり、サイドモールの着脱によってメンテナンスなども非常に行い易くなる。
【００５８】
＜実施例３＞
次に、図１０〜図１２等を参照し、実施例３に係るビルトインコンロ用の照明装置３００（以下、照明装置３００ともいう）及びガス調理システム３９０について説明する。
図１０、図１１で示す実施例３のガス調理システム３９０は、実施例１と形態の異なるビルトインコンロ３０１を備える。ビルトインコンロ３０１は、実施例１のビルトインコンロ１とは形態が若干異なるが、それぞれの部品がビルトインコンロ１と同様の機能を有している。よって、図１０，図１１では、ビルトインコンロ１の各部品と同様の機能を有する部分についてはそれらと同一の符号を付す。また、ビルトインコンロ３０１が設置されるキャビネット９０は、実施例１と同様の構成をなす。
【００５９】
このビルトインコンロ３０１は、ガスバーナ４，５，６と、ガスバーナ４，５，６を収容するコンロ本体部３０１Ａと、コンロ本体部３０１Ａの前面側に配置される操作部３０と、コンロ本体部３０１Ａの左右方向端部側に着脱可能に取り付けられるサイドモール４０，４２とを有する。これらサイドモール４０，４２は、隙間部材の一例に相当する。なお、実施例３で用いられるサイドモール４０，４２のように、一部又は全部の前方側がコンロ本体部３０１Ａに覆われて隠れるような着脱部材であっても、コンロ本体部の側部（左右方向端部）とキャビネットとの間を埋めるようにコンロ本体部に取り付けられる部材であれば「サイドモール」の定義に含まれるものとする。この例でも、ビルトインコンロ３０１は、上面側開口部（図２の上面側開口部９２Ａと同様の開口部）と前面側開口部９４Ａとを備えたキャビネット９０内に配置され、コンロ本体部３０１Ａの前面部３２０の左右方向端部２０Ｂ，２０Ｃが、キャビネット９０の前面側開口部９４Ａにおける左右方向の縁部９５Ｂ，９５Ｃとの間で側部側隙間部９８Ｂ，９８Ｃを構成するように配置される。そして、サイドモール４０，４２のそれぞれが、側部側隙間部９８Ｂ，９８Ｃのそれぞれを埋めるように配置される。なお、ビルトインコンロ３０１の点火ボタン１１〜１４は、実施例１と異なる形態をなし、回転操作によって火力を調節する機能をも有している。
【００６０】
この照明装置３００も、図１０のように、サイドモール４０に取り付けられる電池収納部１６０と、電池収納部１６０に収納される電池１６８から供給される電力に基づいて光を照射する照明部１２０とを有する。図１０、図１１の例でも実施例１と同様のフィラー部１１０を備え、フィラー部１１０に照明部１２０が固定されている。なお、フィラー部１１０及びフィラー部１１０と一体化した部分（例えば、図２等で示す磁石１５０など）については、切替操作部１７０の構成を除き、実施例１と同様の構成をなす。また、サイドモール４０及び電池収納部１６０についても実施例１と同様の構成をなす。
【００６１】
本構成において、ビルトインコンロ３０１には、コンロ本体部３０１Ａの前面部３２０よりも後方側に収納された収納位置と、前面部３２０よりも前方側に突出した突出位置とに変位する操作部３０が設けられている。そして、照明装置３００は、操作部３０が収納位置から突出位置に変位したことを検知する検知部３７０と、操作部３０が収納位置から突出位置に変位したことを検知部３７０が検知した場合に照明部１２０を照射状態に切り替え、所定の停止条件の成立に応じて照明部１２０を照射停止状態に切り替える制御部３４０と、を有する。そして、検知部３７０及び制御部３４０がサイドモール４０に取り付けられている。このようにすれば、ユーザはより簡単な初期動作（操作部３０を突出位置に変位させる操作）を行うだけで照明部１２０を照射状態に切り替えることができる。従って、操作部３０の近傍に配置される部品をより簡単に明るい状態にすることができ、暗い状態で操作せざるを得ない状況に起因するスイッチの押し間違えや、スイッチの確認に手間取ることに起因する迅速性の低下や操作負担の増大を抑制することができる。しかも、着脱可能なサイドモール４０において電池収納部１６０だけでなく検知部３７０や制御部３４０も一体化した構成となるため、サイドモール付近に機能的な部品をコンパクトに配置することができ、サイドモールの着脱によって検知部等のメンテナンスなども非常に行い易くなる。
【００６２】
ビルトインコンロ３０１には、コンロ本体部３０１Ａの前面部３２０の前側を覆う構成で４つのパネル３２０Ａ，３２０Ｂ，３２０Ｃ、３２０Ｄが配置されている。具体的には、コンロ本体部３０１Ａの前面部３２０におけるグリル部８の右側（正面視右側）の領域及びその右側の側部側隙間部９８Ｂの領域を前方側から覆うように第１パネル３２０Ａと第２パネル３２０Ｂとが配置される。第１パネル３２０Ａは、これらカバーすべき領域の上側位置（上半分）に対して前方側から覆うように配置され、第２パネル３２０Ｂは、これらカバーすべき領域の下側位置（下半分）に対して前方側から覆うように配置される。更に、コンロ本体部３０１Ａの前面部３２０におけるグリル部８の左側（正面視左側）の領域及びその左側の側部側隙間部９８Ｃの前方側を覆うように第３パネル３２０Ｃと第４パネル３２０Ｄとが配置される。第３パネル３２０Ｃは、これらカバーすべき領域の上側位置（上半分）に対して前方側から覆うように配置され、第４パネル３２０Ｄは、これらカバーすべき領域の下側位置（下半分）に対して前方側から覆うように配置される。この構成では、第１パネル３２０Ａ及び第２パネル３２０Ｂの後方側に前面部３２０の左右方向一端部２０Ｂ（右端部）が配置され、この一端部２０Ｂに隣接してサイドモール４０が第１パネル３２０Ａ及び第２パネル３２０Ｂの右端部の後方位置において、コンロ本体部１Ａの側部に対して着脱可能に取り付けられている。点火ボタン１１，１２，１３の下側に配置された第２パネル３２０Ｂは、図１０の実線で示す起立位置と、図１１の二点鎖線で示す前側傾倒位置との間で変位するように開閉可能とされ、第２パネル３２０Ｂが回動可能に配置されている。そして、操作部３０は、第２パネル３２０Ｂと一体的に回動するようになっており、図１０で示すようにコンロ本体部３０１Ａの前面部３２０よりも後方側に収納された収納位置と、図１１において二点鎖線で示すように前面部３２０よりも前方側に突出した突出位置とに変位する構成をなす。図１０のように第２パネル３２０Ｂが起立位置に配置されているときに操作部３０が収納位置となり、図１１のように、第２パネル３２０Ｂが前側傾倒位置に配置されているときに突出位置となり、このときには上方側を向いた状態で配置される。なお、この例では、サイドモール４０の前端部を開放させた構成としてもよい。そして、第２パネル３２０Ｂが前側傾倒位置にあるときに、サイドモール４０の前端部側から電池収納部１６０に対して電池の着脱操作を行い得るように構成されていてもよい。
【００６３】
検知部３７０は、スイッチやセンサによって構成されており、例えば、第２パネル３２０Ｂが起立位置にあるとき（即ち、操作部３０が収納位置にあるとき）には、制御部１４０に接続された所定の信号線に第１信号（非検知信号）が入力される状態とする。具体的には、上記信号線に閾値電圧以下の電圧（例えば、０Ｖ）が印加されるようにする。一方、第２パネル３２０Ｂが前側傾倒位置にあるとき（即ち、操作部３０が突出位置にあるとき）には、制御部１４０に接続された上記信号線に第２信号（検知信号）が入力される状態にする。具体的には、上記信号線に閾値電圧を超える電圧（例えば、５Ｖ）が印加されるようにする。なお、検知部３７０及び周辺回路は、このような切り替えを行い得る構成であれば特に限定されず、様々な部品や回路構成を採用することができる。例えば、検知部３７０がボタン式スイッチで構成されている場合、第２パネル３２０Ｂが起立位置にあるときに第２パネル３２０Ｂによって検知部３７０が押され、このとき、検知部３７０は、上記信号線と所定のグランド線とを接続するようにオン動作することで、信号線に第１信号（例えば、０Ｖの非検知信号）を印加することができる。一方、第２パネル３２０Ｂが前側傾倒位置にあるときに第２パネル３２０Ｂによって検知部３７０が押されず、このときには、検知部３７０は、上記信号線をグランド線と電気的に絶縁するようにオフ動作することで、信号線に第２信号（例えば、０Ｖよりも大きい検知信号）を印加することができる。この場合、例えば、所定の定電圧電源ラインから抵抗を介して信号線に第２信号（例えば５Ｖの検知信号）が印加されるようになっていればよい。制御部１４０は、検知部３７０の動作によって第１信号が入力されている場合、即ち、第２パネル３２０Ｂが起立位置にあり、操作部３０が収納位置にある場合に照明部１２０をオフ状態とし、検知部３７０の動作によって第２信号が入力されている場合、即ち、第２パネル３２０Ｂが前側傾倒位置にあり、操作部３０が突出位置にある場合に照明部１２０をオン状態とする。
【００６４】
なお、検知部３７０は、第２パネル３２０Ｂが起立位置にあるか前側傾倒位置にあるかを検知し得る部品であればよく、例えば、近接センサなどによって構成してもよい。
【００６５】
＜他の実施例＞
本発明は上記記述及び図面によって説明した実施例に限定されるものではなく、例えば次のような例も本発明の技術的範囲に含まれる。
【００６６】
上述した実施例では、サイドモール４０が側部側隙間部９８Ｂを埋めるように配置されたビルトインコンロ１を例示したが、サイドモール４０が側部側隙間部９８Ｂよりもやや後方側に配置され、側部側隙間部の後方側の空間を埋めるように配置されていてもよい。
【００６７】
上述した実施例では、照明部１２０がフィラー部１１０に保持された構成を例示したが、フィラー部の構成はこの例に限定されない。フィラー部は、上縁部９５Ａ又は上縁部９５Ａの後方側部分に対して貼り付けなどの方法で固定されていてもよい。
【００６８】
上述した実施例では、フィラー部１１０は、上部側隙間部９８Ａ内の空間を埋める状態で配置されていたが、正面視したときにフィラー部が視認できる位置であれば、前面パネルの上端部と前面側開口部の上縁部とによって構成される隙間部の後方側の空間を埋める状態でフィラー部が配置されていてもよい。
【００６９】
上述した実施例では、照明部１２０が上部側隙間部９８Ａの前側に隣接して配置される例を示したが、照明部１２０は、上部側隙間部９８Ａ内に配置されていてもよく、上部側隙間部９８Ａの後方側に隣接して配置されていてもよい。
【００７０】
上述した実施例では、フィラー部１１０が前面パネル２０の上端部２０Ａに支持される形で配置されていたが、この例に限定されない。例えば、前面パネルの上端部の後方に隣接する隣接部に支持される形で保持部材が載置されていてもよい。
【００７１】
上述したいずれの例においても、制御部１４０又は制御部３４０は、照明部１２０による照明光の照射開始から一定時間経過した場合に照明部１２０の照明動作を停止させてもよく、ユーザの所定操作によって照明動作を停止させてもよい。
【符号の説明】
【００７２】
１，２０１，３０１…ビルトインコンロ
１Ａ，３０１Ａ…コンロ本体部
２…筐体部
４，５，６…ガスバーナ
２０，３２０…前面パネル（コンロ本体部の前面部）
３０…操作部
４０…サイドモール
９０…キャビネット
９２Ａ…上面側開口部
９４Ａ…前面側開口部
９５Ａ…上縁部
９８Ａ…上部側隙間部
９８Ｂ…側部側隙間部
１００，２００，３００…ガスコンロ用の照明装置
１１０…フィラー部
１２０…照明部
１４０…制御部（切替部）
１６０…電池収納部
１６８…電池
１９０，２９０，３９０…ガス調理システム
３４０…制御部
３７０…検知部
【図１】
2018105540.tif 000003
【図２】
2018105540.tif 000004
【図３】
2018105540.tif 000005
【図４】
2018105540.tif 000006
【図５】
2018105540.tif 000007
【図６】
2018105540.tif 000008
【図７】
2018105540.tif 000009
【図８】
2018105540.tif 000010
【図９】
2018105540.tif 000011
【図１０】
2018105540.tif 000012
【図１１】
2018105540.tif 000013
【図１２】
2018105540.tif 000014